(57)【要約】【課題】  実像に加えて、実像を反射することによって生じる虚像も表示することにより、光模様を拡大させたり複数にしたりすることのできる興趣に富んだ遊技機の可動発光装置を提供すること。【解決手段】  パチンコ機１０に取り付けられる可動発光装置２０に、内周側模様形成部２７ｃと外周側模様形成部２７ｅを備えた静止透光板２７と、静止透光板２７の前に配置され、内周側模様形成部２８ｃと外周側模様形成部２８ｅを備えた可動透光板２８を設けた。そして、駆動モータ２５で可動透光板２８を回転させることにより、変化する模様を発生させるとともに、静止透光板２７の後方で発光部２４ａを発光させて静止透光板２７と可動透光板２８を照射するようにした。また、可動透光板２８の周囲前方に反射体３０を設けて光模様の虚像を表示するようにした。【選択図】  図５
2015167605.tif 000002
【特許請求の範囲】
【請求項１】
遊技機に取り付けられる可動発光装置であって、
透光部を備えた後側模様が施された後側透光板と、
透光部を備えた前側模様が施され、前記後側透光板の前に重ねて配置される前側透光板と、
前記後側透光板と前記前側透光板を相対的に回転させることにより、前記後側模様と前記前側模様で変化する模様を発生させる駆動装置と、
前記後側透光板の後方で発光して前記後側模様と前記前側模様を照射する発光部と、
前記前側透光板の周囲前方に設けられ、前記照射により生じる光模様を反射して虚像を発生する反射体と
を備えたことを特徴とする遊技機の可動発光装置。
【請求項２】
前記前側透光板の前面における少なくとも外周側部分に、周縁部よりも中央側部分が前方に突出した傾斜部分が含まれている請求項１に記載の遊技機の可動発光装置。
【請求項３】
前記反射体が、前記前側透光板の周囲に形成された虚像形成部と、前記虚像形成部の外周縁部から前方に延びる外周部と、前記外周部の前端周縁部に形成され前記光模様を反射して前記虚像形成部に虚像を形成させる反射部で構成されている請求項１または２に記載の遊技機の可動発光装置。
【請求項４】
前記反射体が、前記前側透光板の周囲から前方に向かうほど外部側に広がった略筒状に形成されてその内面が反射面で構成されている請求項１または２に記載の遊技機の可動発光装置。
【請求項５】
前記後側透光板と前記発光部の間に透光性の拡散シートを配置した請求項１ないし４のうちのいずれか一つに記載の遊技機の可動発光装置。
【請求項６】
前記後側模様が施された後側透光板を静止模様が施された静止透光板で構成するとともに、前記前側模様が施された前側透光板を可動模様が施された可動透光板で構成し、前記駆動装置が前記可動透光板を回転させるようにした請求項１ないし５のうちのいずれか一つに記載の遊技機の可動発光装置。
【発明の詳細な説明】
【技術分野】
【０００１】
本発明は、遊技機に取り付けられる可動発光装置に関する。
【背景技術】
【０００２】
従来から、パチンコ機やスロットマシン等の遊技機においては、遊技の面白さを増すためや、リーチのような遊技状態を表すために、変化する所定の模様を表示する表示装置が設けられている。このような表示装置の中に、放射状に変化する光模様を表示できる可動発光装置がある（例えば、特許文献１参照）。
【０００３】
この可動発光装置（装飾図柄表示装置）は、表面に暗色部と明色部からなる模様が形成された基板と、基板の前面に配設され、暗色着色部と透光部からなる模様が形成された前面部材を備えている。そして、基板と前面部材の少なくとも一方を回転させることにより、前面部材が基板に対して相対回転するように構成されている。この可動発光装置によると、前面部材の基板に対する相対回転にともない、前面部材の暗色着色部および透光部が、順次、基板の暗色部および明色部上を横切るので、暗色部および明色部と、暗色着色部および透光部が、一致、不一致を繰り返し、光模様が変化して見える。
【先行技術文献】
【特許文献】
【０００４】
【特許文献１】特開２０１１−１３０７９２号公報
【発明の概要】
【０００５】
しかしながら、前述した従来の可動発光装置では、基板と前面部材で光模様が形成されるため、光模様の形状および大きさが基板と前面部材の形状および大きさに制限される。一方、遊技機に直接遊技とは関係のない可動発光装置を大型にして設置することは好ましくない。このため、従来の可動発光装置では、広がりのある光模様を発生することはできず、面白みに欠けるという問題がある。
【０００６】
本発明は、前述した問題に対処するためになされたもので、その目的は、前方から直接目視できる実像に加えて、実像を反射することによって生じる虚像も表示することにより、光模様を拡大させたり複数にしたりすることのできる興趣に富んだ遊技機の可動発光装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る遊技機の可動発光装置の構成上の特徴は、遊技機（１０）に取り付けられる可動発光装置（２０）であって、透光部を備えた後側模様（２７ｃ，２７ｅ）が施された後側透光板（２７）と、透光部を備えた前側模様（２８ｃ，２８ｅ）が施され、後側透光板の前に重ねて配置される前側透光板（２８）と、後側透光板と前側透光板を相対的に回転させることにより、後側模様と前側模様で変化する模様を発生させる駆動装置（２５）と、後側透光板の後方で発光して後側模様と前側模様を照射する発光部（２４ａ）と、前側透光板の周囲前方に設けられ、照射により生じる光模様を反射して虚像（Ｄ）を発生する反射体（３０，４０，５０）とを備えたことにある。
【０００８】
本発明に係る遊技機の可動発光装置では、それぞれ透光部を備えた模様が施された後側透光板と前側透光板を前後に重ねて配置して、後側透光板と前側透光板を駆動装置で相対的に回転させるとともに、発光部が発生する光で後側透光板と前側透光板を後方から照射するようにしている。そして、前側透光板の周囲前方に反射体を設けている。このため、前側透光板の前面に、後側透光板と前側透光板の相対的な回転に応じて変化する光模様が表示され、さらにその光模様の周囲に、反射体によって反射された虚像が表示される。これによって、遊技機の可動発光装置に表示される光模様が拡張されたり複数になったりして興趣に富んだものになる。
【０００９】
すなわち、本発明に係る遊技機の可動発光装置によれば、後側模様と前側模様が前後に重なりながら相対的に回転することで、放射状に広がるように変化する光模様、中心側に吸い込まれるように変化する光模様、または同じ位置で点滅するように変化する光模様など種々の模様を表示することができる。そして、その変化する光模様がさらに周囲に広がって表示される。これによって、小型の可動発光装置を用いても表示される光模様は、前側透光板の前面に表示される実像よりも拡大されたり、複数になったりすることで、面白みがさらに増すようになる。
【００１０】
なお、本発明に係る透光部を備えた後側模様と前側模様は、後側透光板と前側透光板にそれぞれ前後に貫通する穴を形成することによって構成してもよいし、後側透光板と前側透光板の一部を透光性のある材料で形成することで構成してもよい。また、駆動装置は、後側透光板と前側透光板の一方だけを回転させてもよいし、双方を回転させてもよい。後側透光板と前側透光板の双方を回転させる場合には、後側透光板と前側透光板の回転速度を変えたり、後側透光板と前側透光板を逆方向に回転させたりして、双方が同一方向に同一速度で回転することがないようにする。
【００１１】
さらに、後側透光板と前側透光板の双方を回転させる場合には、後側透光板を回転させる装置と前側透光板を回転させる装置を用いてもよいし、１つの装置を用いて歯車を介して後側透光板と前側透光板の回転速度を変えるようにしてもよい。また、駆動装置の作動によって後側透光板と前側透光板は前後に重なり合ったままの状態で、相対的に回転するようにするとともに、後側模様と前側模様は、後側透光板と前側透光板が相対的に回転移動することにより交差する部分を含む模様にする。すなわち、後側模様と前側模様がともに同心円の形状になることを避けることが必要で、これによって、表示される光模様が変化するようになる。また、反射体は、筒状に形成されていることが好ましい。
【００１２】
本発明に係る遊技機の可動発光装置の他の構成上の特徴は、前側透光板の前面における少なくとも外周側部分に、周縁部よりも中央側部分が前方に突出した傾斜部分（２８ｅ）が含まれていることにある。
【００１３】
本発明によると、前側透光板の前面に形成される光模様が立体的に見えるようになり、さらに、その周囲に虚像からなる立体的な光模様が表示されるため、全体として凹凸のある立体的な光模様が表示される。そして、凹凸のある立体的な光模様が変化するため面白みがさらに増すようになる。また、前側透光板の周囲前方に配置された反射体に表示される虚像は、外側後方に傾いた状態で表れる。このため、前側透光板の前面に、周縁部よりも中央側部分が前方に突出した傾斜部分を設けることにより、反射体に表示される虚像が歪んで見えることが無くなり、前側透光板の前面に形成される光模様と、反射体に表示される虚像が同一面上に位置しているように見える。
【００１４】
なお、本発明に係る傾斜部分は、前側透光板の前面の全体に形成してもよいし、反射体に反射されて表示されやすい外周側部分だけに形成してもよい。例えば、前側透光板の前面の外周側に、周縁部側よりも中心部側が前方に突出した略円錐状の部分を形成し、中央側に周縁部側よりも中心部側が後方に窪んだ略円錐状の部分または平面部分を形成してもよい。
【００１５】
本発明に係る遊技機の可動発光装置のさらに他の構成上の特徴は、反射体（３０）が、前側透光板の周囲に形成された虚像形成部（３１ａ）と、虚像形成部の外周縁部から前方に延びる外周部（３１ｂ）と、外周部の前端周縁部に形成され光模様を反射して虚像形成部に虚像を形成させる反射部（３２）で構成されていることにある。
【００１６】
本発明によると、前側透光板の前面に表示される光模様は、反射部で反射されたのちに、前側透光板の周囲に形成された虚像形成部に虚像として表示される。このため、前側透光板の前面に形成される光模様の周囲に、その光模様を拡大した虚像が虚像形成部に広がって見えるようになる。この場合、反射部の反射面は、前方側透光板の前面を、その周囲の虚像形成部に映し出せるように、所定の角度を設けておく。また、外周部の内周面も反射面にすることが好ましい。
【００１７】
本発明に係る遊技機の可動発光装置のさらに他の構成上の特徴は、反射体（４０，５０）が、前側透光板の周囲から前方に向かうほど外部側に広がった略筒状に形成されてその内面が反射面（４２ａ，５２ａ）で構成されていることにある。
【００１８】
本発明によると、前側透光板の前面に表示される光模様は、反射面で反射されて、前側透光板の周囲に虚像として表示される。このため、前側透光板の前面に形成される光模様とその周囲前方に形成される虚像が立体的に広がるように見える。この場合、反射面の傾斜に応じて虚像による光模様の実像による光模様に対する角度を変更することができる。また、前側透光板の前面を略円錐状に形成した場合には、前側透光板の傾斜角と反射面の角度を任意の角度に設定することにより、光模様を各部分が同一面上に位置する立体的な形状にしたり、各部分が異なる角度で配置された立体的な形状にしたりすることができる。
【００１９】
この場合、反射体の中心軸に沿った前方に対する反射面の傾斜角度と、前側透光板の円錐状の前面の盛上った傾斜角度を同じに設定することが好ましい。これによると、拡張された立体的な光模様を大きく屈曲させることなく表示できる。さらに、本発明に係る反射体の形状は、略円錐状の筒状や略多角錐状の筒状にすることができる。略円錐状にした場合は、虚像は拡張したように表示され、略多角錐状にした場合には、虚像は複数表示される。
【００２０】
本発明に係る遊技機の可動発光装置のさらに他の構成上の特徴は、後側透光板と発光部の間に透光性の拡散シート（２６）を配置したことにある。
【００２１】
本発明によると、発光部が発生する光が直接前方から見えることが無くなるとともに、その光が拡散シートによって拡散されるため、均一またはそれに近い状態になって、後側透光板の後側模様と、前側透光板の前側模様を照射するようになる。これによって、表示される光模様の明るさのむらが少なくなる。なお、本発明に係る拡散シートは、光を拡散したり散乱したりして透過させることにより、透過する光をぼかしたり均一な状態にしたりするものである。
【００２２】
本発明に係る遊技機の可動発光装置のさらに他の構成上の特徴は、後側模様が施された後側透光板を静止模様が施された静止透光板で構成するとともに、前側模様が施された前側透光板を可動模様が施された可動透光板で構成し、駆動装置が可動透光板を回転させるようにしたことにある。
【００２３】
本発明では、後側透光板を静止状態に保持される静止透光板で構成して、後側模様を静止模様とするとともに、前側透光板を駆動装置の作動により回転する可動透光板で構成して、前側模様を可動模様としている。これによると、駆動装置の作動により回転するのが前側に位置する可動透光板だけになるため、構造が簡単になるとともに、光模様の変化が表れやすい可動発光装置を得ることができる。
【図面の簡単な説明】
【００２４】
【図１】本発明の第１実施形態に係る可動発光装置を備えたパチンコ機を示した正面図である。
【図２】可動発光装置を示した斜視図である。
【図３】可動発光装置を示した正面図である。
【図４】可動発光装置の分解斜視図である。
【図５】可動発光装置を示した断面図である。
【図６】可動発光装置の断面を示した斜視図である。
【図７】本発明の第２実施形態に係る可動発光装置に備わった筒状反射体を示した斜視図である。
【図８】図７に示した筒状反射体の断面図である。
【図９】図７に示した筒状反射体の断面を示した斜視図である。
【図１０】実像と虚像との位置関係を示した説明図である。
【図１１】実像に対する虚像の傾きを示した説明図である。
【図１２】本発明の第２実施形態の変形例に係る可動発光装置に備わった筒状反射体を示した斜視図である。
【発明を実施するための形態】
【００２５】
（第１実施形態）
以下、本発明の第１実施形態を図面を用いて説明する。図１は、同実施形態に係る可動発光装置２０を備えたパチンコ機１０を示している。パチンコ機１０は、本発明に係る遊技機を構成するもので、その表面における上部には遊技面１１が設けられ、遊技面１１の下方には、遊技球（図示せず）を一旦溜めて順次発射位置に供給する上皿１２と、上皿１２から供給される遊技球を遊技面１１内に向けて発射するハンドル１３が設けられている。上皿１２の下方には、遊技球を溜めるための下皿１４が設けられている。また、遊技面１１の略中央には、窓部１５が設けられ、窓部１５の奥に液晶画面１６が設けられている。
【００２６】
さらに、遊技面１１における窓部１５の下方に２つの入賞装置１７ａ，１７ｂとアウト口１８とが、前述した順に、上方から下方に間隔をおいて設けられている。入賞装置１７ａ，１７ｂ内に遊技球が入ると、所定数の遊技球が賞球として、パチンコ機１０の裏面上部に設置された球タンクから球払出装置（図示せず）を介して上皿１２に送られる。アウト口１８は、入賞装置１７ａ，１７ｂに入らなかった遊技球を通過させてパチンコ機１０の下方に設置された回収タンク（図示せず）に送るためのゲート穴である。
【００２７】
可動発光装置２０は、図２および図３に示したように、収容支持ケース２１と、光模様発生部２４と、反射体３０で構成されている。収容支持ケース２１は、収容部２１ａと、支持部２２と、支持台２３（図４ないし図６参照）で構成され、光模様発生部２４を構成する後述する各部材を収容または支持する。光模様発生部２４は、図４ないし図６に示した３個の発光部２４ａ、駆動モータ２５、拡散シート２６、静止透光板２７および可動透光板２８で構成されている。また、反射体３０は、反射体基部３１と反射部３２で構成されている。
【００２８】
この可動発光装置２０は、収容支持ケース２１を介して遊技面１１における液晶画面１６の上方に可動透光板２８と反射部３２を正面に向けて設置されており、所定のタイミングで、可動透光板２８を回転させるとともに、発光部２４ａを発光させる。これによって、相対的に移動する静止透光板２７と可動透光板２８に光を照射して変化する光模様を発生する。なお、以下の説明においては、前後、上下、左右の各方向は、図１に基づいたものとし、図１の紙面手前側が前方、紙面奥側が後方であるとする。
【００２９】
収容部２１ａは、軸方向を前後に向けた短い円筒状に形成され、その前端部の両側部分から、ネジ挿通穴を備えた連結片２１ｂが外側に向かって突出している。また、収容部２１ａの後端部における連結片２１ｂの後方に、それぞれ配線（図示せず）を通すための切欠き部２１ｃが形成されている。支持部２２は、円板状の支持面部２２ａの周縁部に前方に突出する短い筒状の周面部２２ｂを形成して構成されている。周面部２２ｂは、内径が収容部２１ａと同じに設定され、外径が収容部２１ａよりも僅かに長く、前後方向の長さが収容部２１ａよりも短く設定さている。
【００３０】
そして、支持面部２２ａの後面には、収容部２１ａの前端部内周に嵌合できる環状の嵌合部２２ｃが形成され、周面部２２ｂの内周面前端には開口側が大径になった段部２２ｄが形成されている。また、支持面部２２ａの中心には前方に突出する筒状の軸挿通部２２ｅが形成されている。この軸挿通部２２ｅの挿通穴は、支持面部２２ａを貫通して前後に延びている。さらに、支持面部２２ａにおける軸挿通部２２ｅの周囲には、それぞれ前後に貫通する３つの筒状窓部２２ｆと１つの逃がし孔２２ｇが円周方向に９０度間隔で形成されている。
【００３１】
逃がし孔２２ｇの直径は、軸挿通部２２ｅの外径よりも少し長く、筒状窓部２２ｆの直径は、逃がし孔２２ｇよりも長くなっている。この筒状窓部２２ｆは、支持面部２２ａに開口した前部から直径を少しづつ小さくしながら後方に延びる略筒状に形成されている。また、周面部２２ｂの外周面後部には、ネジ穴を備えた一対のネジ穴部２２ｈが一対の連結片２１ｂと同じ間隔で形成され、周面部２２ｂの前端部の両側部分から、ネジ挿通穴を備えた連結片２２ｉが外部に向かって突出している。この一対のネジ穴部２２ｈと、一対の連結片２２ｉは、支持部２２を前後方向から見たときに、ネジ穴部２２ｈと、連結片２２ｉが９０度間隔で交互に位置するように形成されている。
【００３２】
支持台２３は、後部から前部に行くほど直径が大きくなった略筒状に形成されている。この支持台２３の後端部の内径は、支持面部２２ａの前面における軸挿通部２２ｅ、筒状窓部２２ｆおよび逃がし孔２２ｇをすべて前方に向けて露出できる大きさに設定され、支持台２３の前端部の外径は、周面部２２ｂの内径よりも僅かに短く設定されている。また、支持台２３の前後方向の長さは、支持面部２２ａの前面と周面部２２ｂの段部２２ｄの後端部の間の長さと略同じに設定されている。収容支持ケース２１は、２個のネジ２３ａをそれぞれ連結片２１ｂのネジ挿通穴に通し、ネジ穴部２２ｈのネジ穴に螺合させることにより、収容部２１ａと支持部２２を組み付け、支持部２２内に、支持台２３を設置して構成されている。
【００３３】
３個の発光部２４ａはそれぞれすべての色の光を発生できる多色ＬＥＤからなっており、各基板２４ｂの前面に固定されている。各基板２４ｂは、発光部２４ａを筒状窓部２２ｆ内に位置させて２個のネジ２４ｃによって支持面部２２ａの後面に固定されている。駆動モータ２５は、正逆回転が可能なステッピングモータからなっており、モータ本体２５ａと、モータ本体２５ａから前方に突出する回転軸２５ｂで構成されている。また、回転軸２５ｂの外周後部には、駆動歯車２５ｃが固定され、モータ本体２５ａの前端面の両側部分には、それぞれ外部に向かって突出する一対のネジ挿通片２５ｄが形成されている。
【００３４】
駆動モータ２５は、回転軸２５ｂの前部を逃がし孔２２ｇ内に通した状態で支持面部２２ａの後面に配置され、２個のネジ（図示せず）をネジ挿通片２５ｄの挿通穴に通し支持面部２２ａに螺合させることによって支持面部２２ａの後面に固定されている。そして、駆動歯車２５ｃに従動歯車２９が歯合している。従動歯車２９の中心には前方に延びる連結軸２９ａが連結されており、この連結軸２９ａは、軸挿通部２２ｅの内部を通って前方に突出している。連結軸２９ａは、駆動モータ２５の作動により、回転軸２５ｂ、駆動歯車２５ｃおよび従動歯車２９を介して回転する。なお、各発光部２４ａと駆動モータ２５には、それぞれ配線が接続されており、これらの配線は切欠き部２１ｃを通って電願側に延びている。
【００３５】
拡散シート２６は、支持部２２の軸挿通部２２ｅが挿通できる挿通穴２６ａが中央に形成され、外径が支持台２３の前端部の外径と同じに設定された円板状に形成されている。この拡散シート２６は、例えば、表面に凹凸が形成された塩化ビニル、アクリル、ＰＥＴなどからなる透光性のシートやフィルムで構成することができる。そして、拡散シート２６は、挿通穴２６ａに軸挿通部２２ｅを通して、周面部２２ｂの内部における支持台２３の前側に設置される。
【００３６】
静止透光板２７は、本発明に係る後側透光板を構成しており、中央に位置し内部に挿通穴が形成された中心環状部２７ａと、中心を中心環状部２７ａの中心に合わせて中心環状部２７ａの外周側に位置する外輪部２７ｂを備えている。そして、静止透光板２７は、中心環状部２７ａと外輪部２７ｂの間に、内周側模様形成部２７ｃ、中継環状部２７ｄおよび外周側模様形成部２７ｅを内周側から外周側に順に設けて構成されている。
【００３７】
内周側模様形成部２７ｃは、中心環状部２７ａと中継環状部２７ｄに掛け渡された複数の棒状部で構成されており、各棒状部間に本発明に係る透光部を構成する空間が形成されている。この内周側模様形成部２７ｃは、前方から見たときに各棒状部が中心環状部２７ａから時計周り方向に少し湾曲して中継環状部２７ｄに延びるように形成されており、各棒状部の間隔は一定になっている。また、内周側模様形成部２７ｃの前面は、外周部よりも中央側が後方に窪んだ凹状の曲面に形成されている。
【００３８】
外周側模様形成部２７ｅは、中継環状部２７ｄと外輪部２７ｂに掛け渡された複数の棒状部で構成されており、各棒状部間に本発明に係る透光部を構成する空間が形成されている。この外周側模様形成部２７ｅは、前方から見たときに各棒状部が中継環状部２７ｄから反時計周り方向に少し湾曲して外輪部２７ｂに延びるように形成されており、各棒状部の間隔は一定になっている。また、外周側模様形成部２７ｅの前面は、外周部よりも中央側が前方に突出した凸状の曲面に形成されており、外周側模様形成部２７ｅの前面の盛上った角度（外輪部２７ｂを水平にしたときの水平面に対する角度）は、２０度程度に設定されている。このため、静止透光板２７を側方から見た形状は台形になる。
【００３９】
なお、内周側模様形成部２７ｃと外周側模様形成部２７ｅで本発明に係る後側模様または静止模様が構成される。また、静止透光板２７の外径は、支持台２３の前端部の外径や拡散シート２６の外径よりも僅かに長い、例えば、９０ｍｍに設定されており、静止透光板２７は、周面部２２ｂの段部２２ｄに外周部を係合させて、拡散シート２６の前側に設置される。中継環状部２７ｄと外輪部２７ｂの前面は平面になっている。
【００４０】
可動透光板２８は、本発明に係る前側透光板を構成しており、中央に位置する中心部２８ａと、中心を中心部２８ａの中心に合わせて中心部２８ａの外周側に位置する外輪部２８ｂを備えている。そして、可動透光板２８は、中心部２８ａと外輪部２８ｂの間に、内周側模様形成部２８ｃ、中継環状部２８ｄおよび外周側模様形成部２８ｅを内周側から外周側に順に設けて構成されている。また、中心部２８ａの後面中央には、静止透光板２７の中心環状部２７ａの挿通穴を挿通でき、内部に連結軸２９ａの前部を押し込むことができる筒状連結部２８ｆが形成されている。
【００４１】
内周側模様形成部２８ｃは、中心部２８ａと中継環状部２８ｄに掛け渡された複数の棒状部で構成されており、各棒状部間に本発明に係る透光部を構成する空間が形成されている。この内周側模様形成部２８ｃは、前方から見たときに各棒状部が中心部２８ａから反時計周り方向に少し湾曲して中継環状部２８ｄに延びるように形成されており、各棒状部の間隔は一定になっている。また、内周側模様形成部２８ｃの前面は、外周部よりも中央側が後方に窪んだ凹状の曲面に形成されている。
【００４２】
外周側模様形成部２８ｅは、中継環状部２８ｄと外輪部２８ｂに掛け渡された複数の棒状部で構成されており、各棒状部間に本発明に係る透光部を構成する空間が形成されている。この外周側模様形成部２８ｅは、前方から見たときに各棒状部が中継環状部２８ｄから時計周り方向に少し湾曲して外輪部２８ｂに延びるように形成されており、各棒状部の間隔は一定になっている。また、外周側模様形成部２８ｅの前面は、外周部よりも中央側が前方に突出した凸状の曲面に形成されており、外周側模様形成部２８ｅの前面の盛上った角度（外輪部２８ｂを水平にしたときの水平面に対する角度）は、２０度程度に設定されている。このため、可動透光板２８を側方から見た形状は台形になる。
【００４３】
なお、内周側模様形成部２８ｃと外周側模様形成部２８ｅで本発明に係る前側模様または可動模様が構成される。また、可動透光板２８の外径は、静止透光板２７の外径よりも少し短く、例えば、８５ｍｍに設定されている。この可動透光板２８は、筒状連結部２８ｆを中心環状部２７ａの挿通穴に挿通させ、その筒状連結部２８ｆの内部に連結軸２９ａの前部を押し込むことで連結軸２９ａに固定されている。このため、駆動モータ２５が作動すると、その駆動力が、回転軸２５ｂ、駆動歯車２５ｃ、従動歯車２９および連結軸２９ａを介して可動透光板２８に伝わり、可動透光板２８が回転する。なお、中継環状部２８ｄと外輪部２８ｂの前面は平面になっている。
【００４４】
反射体３０は、反射体基部３１と反射部３２で構成されており、反射体基部３１は、円板の中央に窓穴を形成した環状の虚像形成部３１ａと、外周部３１ｂからなっている。虚像形成部３１ａは、内径が周面部２２ｂの後部（段部２２ｄを除いた部分）と同じで、９０ｍｍ程度に設定され、外径が内径よりも５０ｍｍ程度長く設定されており、その前面は鏡面３１ｃで構成されている。また、虚像形成部３１ａの後面における窓穴の周縁部には、後方に突出する環状のリブ３１ｄが形成され、そのリブ３１ｄの外周にネジ穴を備えた一対のネジ穴部３１ｅが一対の連結片２２ｉと同じ間隔で形成されている。
【００４５】
外周部３１ｂは、虚像形成部３１ａの外周縁部から前方に延びる軸方向が短い円筒状に形成されており、その内周面は、鏡面３１ｆで構成されている。また、外周部３１ｂの外周面前部におけるネジ穴部３１ｅの前方部分（ネジ穴部３１ｅの前方外側部分）には、ネジ穴を備えた一対のネジ穴部３１ｇがそれぞれ形成されている。
【００４６】
反射部３２は、外径が虚像形成部３１ａと同じで、内径が虚像形成部３１ａよりも大きい、例えば１０５ｍｍに設定された環状に形成されている。反射部３２の後面は、内周側よりも外周側が後方に位置する傾斜面に形成されており、この傾斜面は鏡面３２ａで構成されている。鏡面３２ａの反射部３２の前面に対する傾斜角度は、３０度程度に設定されており、これによって可動透光板２８の前面の模様を虚像形成部３１ａに向けて反射することができる。また、反射部３２の外周面後部には、ネジ挿通穴を備えた一対の連結片３２ｂが、一対のネジ穴部３１ｇと同じ間隔で形成されている。この反射部３２は、２個のネジ３２ｃをそれぞれ、連結片３２ｂのネジ挿通穴に通し、ネジ穴部３１ｇのネジ穴に螺合させることにより、反射体基部３１に組み付けられて反射体３０を構成する。
【００４７】
そして、反射体３０は、２個のネジ３３をそれぞれ支持部２２の連結片２２ｉのネジ挿通穴に通し、ネジ穴部３１ｅのネジ穴に螺合させることにより、収容支持ケース２１に組み付けられる。支持部２２と反射体基部３１が固定されることによって、静止透光板２７は、外周部分が虚像形成部３１ａの後面に形成されたリブ３１ｄに押さえ付けられて、段部２２ｄに固定される。また、支持台２３は、拡散シート２６を介して静止透光板２７に押圧されて、支持部２２の支持面部２２ａに押し付けられることにより、拡散シート２６とともに固定される。
【００４８】
また、パチンコ機１０には、駆動モータ２５および発光部２４ａの作動を制御する制御装置が備わっている。そして、駆動モータ２５は、制御装置の制御により、可動透光板２８を所定の方向に回転させ、発光部２４ａは、制御装置の制御により、所定の色の光を所定のタイミングで発生する。この場合、静止している静止透光板２７の前で可動透光板２８が回転することによって、静止模様と可動模様が交差して、外部側に広がるような模様や内部側に吸い込まれるような模様が生じる。さらに、その変化する模様が、発光部２４ａが発生する光に照射されることによって変化する光模様となって可動透光板２８の前面に表れる。
【００４９】
さらに、可動透光板２８の前面に表れる光模様は、反射部３２の鏡面３２ａに反射されて、虚像形成部３１ａの鏡面３１ｃに虚像として映し出される。この虚像は、可動透光板２８の前面に表れる光模様を拡大して表れる。また、外周部３１ｂの内周面も鏡面３１ｆで構成されているため、反射体３０の内部には、すべて実像と虚像からなる光模様が表示される。また、可動透光板２８の前面に表れる光模様は、可動透光板２８の前面が凹凸面になっているため立体的になり、虚像形成部３１ａの鏡面３１ｃに映し出される虚像は、反射部３２の鏡面３２ａが可動透光板２８の前面に対向するように傾斜しているため良好な光模様となって表れる。
【００５０】
また、３個の発光部２４ａはそれぞれ、内周側模様形成部２８ｃの後方に位置しているため、前方から見ると、内周側模様形成部２８ｃの表面には明るい光模様が生じるが、外周側模様形成部２８ｅの表面には暗い光模様が生じる。一方、鏡面３２ａの位置から外周側模様形成部２８ｅを見ると、その後方に発光部２４ａが位置するため、外周側模様形成部２８ｅの表面には明るい光模様が生じる。この明るい光模様が鏡面３２ａに反射されて虚像形成部３１ａの鏡面３１ｃに映し出されるため、前方から鏡面３１ｃを見ると、外周側模様形成部２８ｅの表面に明るい光模様が表れる。
【００５１】
このため、前方から可動発光装置２０を見ると、中央に内周側模様形成部２７ｃ，２８ｃで形成される明るい光模様が表れ、その周囲に外周側模様形成部２７ｅ，２８ｅで形成される暗い光模様が表れ、さらにその周囲に外周側模様形成部２７ｅ，２８ｅで形成される明るい光模様が反転するとともに拡大されて表れる。そして、それらの光模様の一方が外側に広がるように変化すると、それに隣り合った光模様は中央側に吸い込まれるように変化する。
【００５２】
このように、本実施形態によると、変化に富んだ光模様を立体的に発生させることができる。また、動作の途中で、可動透光板２８の回転方向を変えたり、発光部２４ａが発生する光の色を変えたりすることもできる。このような動作が、パチンコ機１０を使用して遊技が行われている際に、所定のタイミングで発生する、これによって、遊技の面白さが増加する。また、遊技状態が、大当たりの前のリーチの状態になったときに、可動発光装置２０が作動するように設定することもできる。
【００５３】
以上のように、本実施形態に係る可動発光装置２０では、静止透光板２７の前側に可動透光板２８を配置して、駆動モータ２５の作動で可動透光板２８を回転させるとともに、静止透光板２７の後方から静止透光板２７と可動透光板２８を発光部２４ａが照射するようにしている。そして、可動透光板２８の周囲前方に反射体３０を設けている。このため、可動透光板２８の前面に、静止模様と可動模様が交差することによって生じる変化する光模様が表示され、さらにその光模様の周囲に、反射体３０によって反射された虚像からなる光模様が表示される。これによって、可動発光装置２０に表示される光模様が拡張されて興趣に富んだものになる。
【００５４】
また、静止透光板２７の内周側模様形成部２７ｃの前面は、外周部よりも中央側が後方に窪んだ凹状の曲面に形成され、外周側模様形成部２７ｅの前面は、外周部よりも中央側が前方に突出した凸状の曲面に形成されている。そして、可動透光板２８の内周側模様形成部２８ｃの前面は、外周部よりも中央側が後方に窪んだ凹状の曲面に形成され、外周側模様形成部２８ｅの前面は外周部よりも中央側が前方に突出した凸状の曲面に形成されている。このため、静止透光板２７と可動透光板２８を接近させて配置することができ、可動透光板２８の前面に表れる光模様は鮮明で立体的な模様になる。
【００５５】
さらに、内周側模様形成部２７ｃを構成する棒状部と外周側模様形成部２７ｅを構成する棒状部が異なる方向に湾曲し、内周側模様形成部２８ｃを構成する棒状部と外周側模様形成部２８ｅを構成する棒状部が異なる方向に湾曲するとともに、内周側模様形成部２７ｃを構成する棒状部と内周側模様形成部２８ｃを構成する棒状部が異なる方向に湾曲し、外周側模様形成部２７ｅを構成する棒状部と外周側模様形成部２８ｅを構成する棒状部が異なる方向に湾曲している。このため、可動透光板２８の前面に表れる光模様の中央部分が中心側に吸い込まれるように変化するときには、光模様の外周部分は、外側に広がるように変化する。また、可動透光板２８の前面に表れる光模様の中央部分が外側に広がるように変化するときには、光模様の外周部分は、中心側に吸い込まれるように変化する。これによって、変化する光模様の面白みがさらに増すようになる。
【００５６】
また、前述した実施形態では、反射体３０を、虚像形成部３１ａと外周部３１ｂからなる反射体基部３１と、反射部３２で構成し、虚像形成部３１ａの前面を鏡面３１ｃで構成し、外周部３１ｂの内周面を鏡面３１ｆで構成し、反射部３２の後面を鏡面３２ａで構成している。そして、反射部３２の内径を虚像形成部３１ａの内径よりも長くして前方から虚像形成部３１ａが見えやすくするとともに、鏡面３２ａを傾斜させて可動透光板２８の前面に表れる光模様を虚像形成部３１ａに反射し易くしている。
【００５７】
このため、虚像形成部３１ａに虚像を発生させやすくなるとともに、その虚像が前方から見えやすくなる。さらに、反射体３０の内面がすべて鏡面３１ｃ等で構成されているため、実像と虚像からなる光模様の間に光模様以外のものが映し出されて、光模様が断続的になることがない。また、静止透光板２７と発光部２４ａの間に拡散シート２６を配置したため、表示される光模様に明るさのむらが無くなり、見栄えのある光模様を発生させることができる。
【００５８】
（第２実施形態）
図７ないし図９は、本発明の第２実施形態に係る可動発光装置に備わった反射体４０を示している。この反射体４０は、前述した反射体３０に替えて、収容支持ケース２１と、光模様発生部２４に組み合わされて可動発光装置を構成するもので、環状連結部４１と、反射部４２と、環状窓部４３で構成されている。環状連結部４１は、反射体基部３１のリブ３１ｄと外径および内径が同じで、前後方向の長さがリブ３１ｄよりも少し長く設定されており、その外周面後部にネジ挿通穴を備えた一対の連結片４１ａが一対の連結片２２ｉと同じ間隔で形成されている。
【００５９】
反射部４２は、後部開口よりも前部開口が大きい八角形の筒状に形成されており、その内面は八つの鏡面４２ａで構成されている。各鏡面４２ａは、後縁部の長さが３２ｍｍで、前縁部の長さが４２ｍｍで、前後方向の長さが４２ｍｍで、傾斜角度（後縁部を前方に真っ直ぐ延ばしたときに形成される面に対する角度）が７５度に設定されている。環状窓部４３は、外周が円形で、内周が反射部４２の前端内周に沿った八角形に形成されたフランジ状の窓部で構成されている。このように構成された反射体４０は、それぞれ２個のネジとナット（図示せず）を用いて、支持部２２の連結片２２ｉに、連結片４１ａを連結することにより、収容支持ケース２１に組み付けられる。
【００６０】
この反射体４０を備えた可動発光装置も前述した可動発光装置２０と同様の方法で使用されるが、反射体４０には、八つの鏡面４２ａが備わっているため、各鏡面４２ａにそれぞれ虚像が映し出される。また、可動透光板２８の前面に表れる光模様と、各鏡面４２ａにそれぞれ映し出される虚像とは、各棒状部の湾曲方向が逆方向になる。このため、可動透光板２８の前面に表れる光模様と、その周囲に表れる虚像からなる八つの光模様がそれぞれ異なる形状になりながらさらに変化するため、全体の光模様が興趣に富むものとなる。また、可動透光板２８の前面および八つの鏡面４２ａがそれぞれ傾斜しているため、可動透光板２８の前面に表れる光模様に対して、虚像からなる八つの光模様が歪んで見えることが防止される。
【００６１】
すなわち、図１０に示したように、点０−点Ａ間を可動透光板２８の前面に表れる実像の位置、点０−点０’間を鏡面４２ａの位置とし、点Ｂを使用者の視点の位置、点Ａ’を虚像の位置とし、鏡面４２ａと使用者の視線が交差する点をＣとすると、角度Ａ−Ｃ−０と角度Ｂ−Ｃ−０’は等しくなり、線分Ａ−Ｃと線分Ａ’−Ｃは等しくなる。このため、可動透光板２８の前面を平面にした状態で、光模様の視界を広げるために、鏡面４２ａを傾斜させると、図１１に示したように、各虚像Ｄは楕円状につぶれた模様になってしまう。
【００６２】
このため、可動透光板２８の前面、特に外周側部分を外周部よりも中央側が前方に突出した凸状の曲面に形成することにより、鏡面４２ａに映し出される虚像を、可動透光板２８の前面に表れる実像と同様に表示することができる。また、本実施形態によると、反射体４０を構成する部材が少なくなり、構造も単純なものになる。この実施形態に係る可動発光装置のそれ以外の作用効果は、前述した可動発光装置２０と同様である。なお、本実施形態では、八つの虚像が表示されるが、図１１では、虚像Ｄを４つだけ示している。また、図１１では、可動透光板２８の前面に表れる実像と虚像Ｄの間に隙間があるが、実際の光模様には、このような隙間は殆ど生じない。
【００６３】
（第２実施形態の変形例）
図１２は、前述した第２実施形態の変形例に係る可動発光装置に備わった反射体５０を示している。この反射体５０も、前述した反射体３０や反射体４０に替えて、収容支持ケース２１と、光模様発生部２４に組み合わされて可動発光装置を構成するもので、環状連結部５１と、反射部５２と、環状窓部５３で構成されている。環状連結部５１は、環状連結部４１と同じ構成をしており、外周面後部にネジ挿通穴を備えた一対の連結片５１ａが形成されている。
【００６４】
反射部５２は、後部開口よりも前部開口が大きい円形の筒状に形成されており、その内周面は鏡面５２ａで構成されている。鏡面５２ａは、後端部の内径が８８ｍｍで、前端部の内径が１１７ｍｍで、前後方向の長さが４５ｍｍで、前後に延びる軸方向に対する傾斜角度が７５度に設定されている。環状窓部５３は、外周、内周ともに円形になった環状に形成され、内周縁部は鏡面５２ａの前端内周に沿っている。この反射体５０も前述した反射体４０と同様にして収容支持ケース２１に組み付けられる。
【００６５】
この反射体５０を備えた可動発光装置も前述した可動発光装置２０等と同様の方法で使用されるが、反射体５０には、後方から前方に向かって広がる略円筒状の鏡面５２ａが備わっている。このため、可動透光板２８の前面に表れる光模様の周囲に、その光模様を拡大した形状の光模様が表れる。この場合も、可動透光板２８の前面に表れる光模様と、鏡面５２ａに映し出される虚像は、各棒状部の湾曲方向が逆方向になるため、可動透光板２８の前面に表れる光模様と、その周囲に表れる虚像からなる光模様がそれぞれ異なる形状になりながらさらに変化する。また、可動透光板２８の前面および鏡面５２ａが傾斜しているため、可動透光板２８の前面に表れる光模様に対して、虚像からなる光模様が歪んで見えることもない。
【００６６】
（第３実施形態）
図示は省略するが、第３実施形態として、前述した各実施形態および変形例における静止透光板２７を後側透光板とするとともに、可動透光板２８を前側透光板として、駆動モータ２５で、前側透光板だけでなく、後側透光板も回転させるようにすることもできる。この場合、後側透光板を回転可能に配置して、後側透光板を変速ギアを介して連結軸２９ａに連結することにより、前側透光板と後側透光板の回転速度が異なるようにする。また、前側透光板と後側透光板の回転方向が逆方向になるようにしてもよい。さらに、後側透光板を回転させるための駆動モータを別途設けてもよい。
【００６７】
本発明に係る遊技機の可動発光装置は、前述した実施形態に限定するものでなく、適宜変更することができる。例えば、前述した実施形態では、遊技機として、パチンコ機１０を用いているが、この遊技機としてはパチンコ機に限らず、スロットマシンやスマートボール等を用いてもよい。また、前述した実施形態では、透光部を、静止透光板２７の内周側模様形成部２７ｃと外周側模様形成部２７ｅに形成した空間および可動透光板２８の内周側模様形成部２８ｃと外周側模様形成部２８ｅに形成した空間で構成しているが、この透光部は、静止透光板２７と可動透光板２８の空間に相当する部分を透光性のある材料で埋めることで構成してもよい。
【００６８】
静止模様と可動模様の形状は、前述した実施形態のものに限らず、静止透光板２７と可動透光板２８が相対的に回転移動することにより交差する部分を含む模様であれば、どのような模様であってもよい。さらに、前述した実施形態では、静止透光板２７を可動透光板２８の後方に配置しているが、静止透光板２７を可動透光板２８の前方に配置してもよい。また、静止透光板２７の前面と可動透光板２８の前面の傾斜角度や、反射体３０，４０，５０の鏡面３２ａ，４２ａ，５２ａの傾斜角度を、任意の角度にして、歪んだ虚像が発生するようにしてもよい。さらに、本発明に係る遊技機の可動発光装置のそれ以外の部分の構成についても本発明の技術的範囲内で適宜変更して実施することが可能である。
【符号の説明】
【００６９】
１０…パチンコ機、２０…可動発光装置、２４ａ…発光部、２５…駆動モータ、２６…拡散シート、２７…静止透光板、２７ｃ，２８ｃ…内周側模様形成部、２７ｅ，２８ｅ…外周側模様形成部、２８…可動透光板、３０，４０，５０…反射体、３１ａ…虚像形成部、３１ｂ…外周部、３１ｃ，３２ａ，４２ａ，５２ａ…鏡面、３２…反射部、Ｄ…虚像。
【図１】
2015167605.tif 000003
【図２】
2015167605.tif 000004
【図３】
2015167605.tif 000005
【図４】
2015167605.tif 000006
【図５】
2015167605.tif 000007
【図６】
2015167605.tif 000008
【図７】
2015167605.tif 000009
【図８】
2015167605.tif 000010
【図９】
2015167605.tif 000011
【図１０】
2015167605.tif 000012
【図１１】
2015167605.tif 000013
【図１２】
2015167605.tif 000014